(57)【特許請求の範囲】
【請求項１】
載置台に載置され紙幣挿入口に挿入される紙幣束を一括して前記紙幣挿入口から装置内部に繰り入れる紙幣処理機のコイン誤挿入防止機構であって、
垂直面と該垂直面から前記紙幣挿入口において前記装置内部方向に下向き傾斜面を形成し、該下向き傾斜面に連続して前記装置内部方向に入口水平面を形成し、該入口水平面に連続して前記装置内部方向に上向き傾斜面を形成し、該上向き傾斜面に連続して前記装置内部方向に内部水平面を形成する搬送路上面と、
前記載置台の水平面に連続して、前記搬送路上面の前記上向き傾斜面の位置よりも前記装置内部方向に延在する入口水平面と、該入口水平面に連続して前記装置内部方向に上向き傾斜面を形成し、該上向き傾斜面に連続して前記装置内部方向に内部水平面を形成する搬送路下面と、
を有し、
前記紙幣挿入口に前記コインが誤挿入されたとき、前記搬送路上面の前記入口水平面は前記コインの前端が前記搬送路下面の前記上向き傾斜面に摺接して持ち上がろうとする前記コインの上面中間部に当接して前記コインの前記上面中間部を押さえこみ、
前記搬送路下面の前記上向き傾斜面と、前記搬送路上面の前記入口水平面とで、前記コインを押さえ込んで、該コインが前記紙幣挿入口から前記装置内部へ進入することを阻止するように構成される、
ことを特徴とする紙幣処理機のコイン誤挿入防止機構。
【発明の詳細な説明】
【技術分野】
【０００１】
本発明は、紙幣処理機のコイン誤挿入防止機構に関わり、更に詳しくは紙幣処理機の紙幣挿入口に対して顧客がコイン（又はトークン）を誤って挿入することを防止する紙幣処理機のコイン誤挿入防止機構に関する。
【背景技術】
【０００２】
従来、紙幣束を一括して取り扱う紙幣束処理装置として、収納部に紙幣束の誤装填を生じても、出金時に繰り出された紙幣束の表面の検出された画像パターンに基づき紙幣束の金種を確認して、誤払いが生じることを防止する紙幣束処理装置が提案されている。（例えば、特許文献１参照。）【０００３】
また、紙幣束を取り扱う紙幣入出金装置及び現金自動取引装置として、大きさの異なる紙幣を揃えて収納し、紙幣を重ねて収納する集積空間内に送り込まれる紙幣の進行位置を規制し、送込放出手段に取り込まれる紙幣の寸法に基づいて、規制位置を制御することが提案されている。（例えば、特許文献２参照。）【０００４】
図１(a)は、上記のような紙幣束処理装置や紙幣束入出金装置における一般的な外観を示す斜視図であり、図１(b)は、紙幣の一部を装置外側に残して一枚ずつ内部への繰り出しをする機構の紙幣処理機の場合を示す図、図１(c)は、紙幣束を装置内部に取込んでから、一枚ごとに内部への繰り出しを開始する紙幣処理機の場合を示す図である。【０００５】
上記の図１(a)には、紙幣束処理装置１の上部に紙幣束を載置するための載置台２が形成され、その奥に紙幣束を挿入する挿入口３が形成されている。不図示の紙幣束は、利用者により載置台２に置かれたのち、矢印ａで示すように挿入口３に押し込まれる。【０００６】
図１(b)の方式の紙幣束処理装置１ａでは、紙幣束４の後端部を載置台２に出した状態で繰り出しローラ５により一枚ごとに矢印ｂで示すように内部へ繰出されて、搬送ローラ対６により内部搬送路へと搬入される。【０００７】
図１(c)の方式の紙幣束処理装置１ｂでは、載置台２に置かれて挿入口３に押し込まれた紙幣束４（破線）は、搬入ローラ対７により装置内部に取込まれた状態（実線）で、繰り出しローラ８により矢印ｃで示すように一枚ごとに内部へ繰り出され、他の搬送ローラ対９により内部搬送路へと搬入される。【０００８】
ところで、紙幣束処理装置の利用者は、誤ってコイン（トークの場合もあるが以下コインで説明する）を挿入口３に入れてしまうことがある。これに対しては、コインを装置内部の受け皿に受け取って、利用者からの通報により装置を止めて受け皿からコインを取り出して返却するようにしたものがある。【０００９】
図２(a)は、誤って挿入されたコインを受け皿に受け取る機構を簡略に示す図であり、図２(b)は、コインを挿入口に入らないように挿入口の上下の縦幅をコインの厚さより狭くした機構を示す図である。なお、図２(a),(b)には、図１(a),(b),(c)と同一の構成又は機能の部分には図１(a),(b),(c)と同一の番号を付与して示している。【００１０】
図２(a)の場合、誤って紙幣束処理装置の挿入口３に挿入されたコイン１０は、搬送ローラ対７の下流側に設けられている受け皿１１に落下して滞留するようになっている。また図２(b)の場合は、コイン１０の厚さｅよりも、挿入口３から奥の挿入路の上下の縦幅ｆは、狭くなっている。
【先行技術文献】
【特許文献】
【００１１】
【特許文献１】特開２００１−０６７５１１号公報
【特許文献２】特開２００６−１６３９１７号公報
【発明の概要】
【発明が解決しようとする課題】
【００１２】
ところで、図２(a)の場合、コイン１０を受け皿１１に落下させてから受け皿１１より下流側の搬送路１３（矢印ｈで示す範囲）では不具合は起きないが、コイン１０を受け皿１１に落下させる前の受け皿１１よりも上流側の搬送路１２（矢印ｉで示す範囲）では、挿入口３から入り込んだコイン１０が、噛み込みや滞留を起こし、ジャムやその他の不具合の要因になる場合がある。【００１３】
すなわち、コイン１０等の有価物を装置本体の中に取り込んでしまうため、マネートラブル等の要因になる。また、中に取り込まれたコイン１０は、装置本体を休止させなければ取り出すことができないという不便がある。【００１４】
また、図２(b)の場合、コイン誤挿入防止として、挿入口３の上下の縦幅を狭くすると、２０枚程度の厚さｇの紙幣束でも、一括で挿入することができなくなるという不便が生じてくる。【００１５】
本発明は、上記従来の課題を解決するものであって、紙幣処理機の紙幣挿入口に対して顧客がコイン（又はトークン）を誤って挿入することを防止する紙幣処理機のコイン誤挿入防止機構を提供することを目的とする。
【課題を解決するための手段】
【００１６】
上記課題を解決するために、第１の発明の紙幣処理機のコイン誤挿入防止機構は、載置台に載置され紙幣挿入口に挿入される紙幣束を一括して上記紙幣挿入口から装置内部に繰り入れる紙幣処理機のコイン誤挿入防止機構であって、垂直面と該垂直面から上記紙幣挿入口において上記装置内部方向に下向き傾斜面を形成し、該下向き傾斜面に連続して上記装置内部方向に水平面を形成する搬送路上面と、上記載置台の水平面に連続して上記紙幣挿入口において上記搬送路上面の上記下向き傾斜面に対向する下向き傾斜面を形成し、該下向き傾斜面に連続して上記搬送路上面の上記水平面に対向する水平面を形成する搬送路下面と、を有し、上記搬送路下面の上記水平面は、上記紙幣挿入口にコインが誤挿入されたとき該コインの挿入方向前端部を当接させる前端当接部を形成し、上記搬送路下面の上記載置台の上記水平面から上記下向き傾斜面に移行する屈曲部は、上記紙幣挿入口に上記コインが誤挿入されたとき該コインの中心よりも挿入方向後方の下面を当接させる後方下面当接部を形成し、上記搬送路上面の上記下向き傾斜面から上記水平面に移行する屈曲部は、上記紙幣挿入口に上記コインが誤挿入されたとき該コインの、上記前端当接面に当接する前端と、上記後方下面当接部に当接する後方下面部との中間位置で上記コインの上面部を当接させる上面中間当接部を形成し、上記紙幣挿入口に上記コインが誤挿入されたとき、上記前端当接部、上記後方下面当接部、及び上記上面中間当接部の三点により、上記コインを保持して、該コインが上記紙幣挿入口から上記装置内部へ進入することを阻止するように構成される、ことを特徴とする。【００１７】
上記搬送路上面の上記水平面と上記搬送路下面の上記水平面との上下の間隔を２．４ｍｍ、上記コインの直径を２５ｍｍ、及び上記コインの厚さを１．８ｍｍとしたとき、上記前端当接部と上記後方下面当接部との水平方向の距離を１０．４ｍｍとし、上記前端当接部と上記後方下面当接部との垂直方向の距離を１．３ｍｍとし、上記後方下面当接部と上記上面中間当接部との水平方向の距離を３．９ｍｍとし、上記後方下面当接部と上記上面中間当接部との垂直方向の距離を１．１ｍｍとする、ように構成したことを特徴とする。【００１８】
上記課題を解決するために、第２の発明の紙幣処理機のコイン誤挿入防止機構は、載置台に載置され紙幣挿入口に挿入される紙幣束を一括して上記紙幣挿入口から装置内部に繰り入れる紙幣処理機のコイン誤挿入防止機構であって、垂直面と該垂直面から上記紙幣挿入口において上記装置内部方向に下向き傾斜面を形成し、該下向き傾斜面に連続して上記装置内部方向に入口水平面を形成し、該入口水平面に連続して上記装置内部方向に上向き傾斜面を形成し、該上向き傾斜面に連続して上記装置内部方向に内部水平面を形成する搬送路上面と、上記載置台の水平面に連続して、上記搬送路上面の上記上向き傾斜面の位置よりも上記装置内部方向に延在する入口水平面と、該入口水平面に連続して上記装置内部方向に上向き傾斜面を形成し、該上向き傾斜面に連続して上記装置内部方向に内部水平面を形成する搬送路下面と、を有し、上記紙幣挿入口に上記コインが誤挿入されたとき、上記搬送路上面の上記入口水平面は上記コインの前端が上記搬送路下面の上記上向き傾斜面に摺接して持ち上がろうとする上記コインの上面中間部に当接して上記コインの上記上面中間部を押さえこみ、上記搬送路下面の上記上向き傾斜面と、上記搬送路上面の上記入口水平面とで、上記コインを押さえ込んで、該コインが上記紙幣挿入口から上記装置内部へ進入することを阻止するように構成される、ことを特徴とする。【００１９】
上記課題を解決するために、第３の発明の紙幣処理機のコイン誤挿入防止機構は、載置台に載置され紙幣挿入口に挿入される紙幣束を一括して上記紙幣挿入口から装置内部に繰り入れる紙幣処理機のコイン誤挿入防止機構であって、上記紙幣挿入口において紙幣束挿入方向に直交する挿入口横方向に凸部と凹部が交互に連続して形成された上搬送路面と、上記紙幣挿入口において紙幣束挿入方向に直交する挿入口横方向に凸部と凹部が交互に連続して形成された下搬送路面と、を有し、上記下搬送路面の上記凸部と上記凹部は、それぞれ上記上搬送路面の上記凹部と上記凸部に対向するよう形成され、上記上搬送路面の上記凸部と上記凹部、及び上記下搬送路面の上記凸部と上記凹部は、それぞれ上記紙幣挿入口に誤挿入される上記コインの直径よりも小さい幅で形成され、上記下搬送路面の上記凸部と上記凹部、及び上記上搬送路面の上記凹部と上記凸部が対向する上下の距離は、上記紙幣挿入口に挿入される上記紙幣束が通過できる距離となるように構成されている、ことを特徴とする。
【発明の効果】
【００２０】
本発明は、紙幣処理機の紙幣挿入口に対して顧客がコイン（又はトークン）を誤って挿入することを防止する紙幣処理機のコイン誤挿入防止機構を提供することができる。
【図面の簡単な説明】
【００２１】
【図１】(a)は従来の紙幣束処理装置や紙幣束入出金装置における一般的な外観を示す斜視図、(b)は紙幣の一部を装置外側に残して一枚ずつ内部への繰り出しをする機構の紙幣処理機を示す図、(c)は紙幣束を装置内部に取込んでから一枚ごとに内部への繰り出しを開始する紙幣処理機を示す図である。
【図２】(a)は従来の紙幣束処理装置や紙幣束入出金装置において誤って挿入されたコインを受け皿に受け取る機構を簡略に示す図、(b)は従来のコインを挿入口に入らないように挿入口の上下の縦幅をコインの厚さより狭くした機構を示す図である。
【図３】実施例１〜３に係るコイン誤挿入防止機構を備えた紙幣処理機の、コイン誤挿入防止機構に関る上部構成のみを示す側断面図である。
【図４】(a),(b),(c)は実施例１に係るコイン誤挿入防止機構の構成とその機能を示す図である。
【図５】実施例１に係るコイン誤挿入防止機構の前端当接部、後方下面当接部、及び上面中間当接部の三点間の位置関係を示す図である。
【図６】(a),(b),(c)は実施例１に係るコイン誤挿入防止機構においてコインの紙幣挿入口への進入が阻止される具体的態様を示す図である。
【図７】実施例２に係るコイン誤挿入防止機構の構成とその機能を示す図である。
【図８】実施例３に係るコイン誤挿入防止機構の構成とその機能を示す図である。
【発明を実施するための形態】
【００２２】
以下、本発明の実施の形態について、図面を参照しながら詳細に説明する。
図３は、実施例１〜３に係るコイン誤挿入防止機構を備えた紙幣処理機の、コイン誤挿入防止機構に関る上部構成のみを示す側断面図である。図３に示す紙幣処理機１５は、装置本体の前方上部に顧客が紙幣束を置く水平面からなる載置台１６を備え、その載置台１６の装置本体内部方向に延びる位置に紙幣挿入口１７が形成されている。
【００２３】
紙幣挿入口１７からは、装置本体内部方向に延びる上搬送面１８と下搬送面１９が形成されている。図３において、破線丸印ｊで囲んで示す部分が、本発明に係るコイン誤挿入防止機構を構成している部分である。その他の構成部分は一般的な紙幣処理機の構成であるので説明は省略する。
【実施例１】
【００２４】
図４(a),(b),(c)は、実施例１に係るコイン誤挿入防止機構の構成とその機能を示す図である。なお、図４(a),(b),(c)は、図３において破線丸印ｊで囲んで示した紙幣挿入口１７を中心とした部分の拡大図である。【００２５】
図４(a)に示すように、紙幣挿入口１７を中心としたコイン誤挿入防止機構２０は、垂直面２１と、この垂直面２１から紙幣挿入口１７において装置内部方向に下向き傾斜面２２を形成し、この下向き傾斜面２２に連続して装置内部方向に水平面２３を形成する搬送路上面部２４を備えている。【００２６】
さらに、コイン誤挿入防止機構２０は、載置台１６の水平面に連続して紙幣挿入口１７において搬送路上面部２４の下向き傾斜面２２に対向する下向き傾斜面２５を形成し、この下向き傾斜面２５に連続して搬送路上面部２４の水平面２３に対向する水平面２６を形成する搬送路下面部２７を備えている。【００２７】
図４(a)の矢印ｋで示すように、図４(b)に示すコイン２８が紙幣挿入口１７に誤挿入されたとき、図４(b)に示すように、搬送路下面部２７の水平面２６は、コイン２８の挿入方向前端部を当接させる前端当接部２９を形成する。【００２８】
更に、搬送路下面部２７の、載置台１６の水平面から下向き傾斜面２５に移行する屈曲部は、コイン２８の中心よりも挿入方向後方の下面を当接させる後方下面当接部３１を形成する。【００２９】
また、搬送路上面部２４の下向き傾斜面２２から水平面２３に移行する屈曲部は、コイン２８の、前端当接部２９に当接する前端と、後方下面当接部３１に当接する後方下面部との中間位置で、コイン２８の上面部を当接させる上面中間当接部３２を形成する。【００３０】
これにより、コイン誤挿入防止機構２０は、紙幣挿入口１７にコイン２８が誤挿入されたとき、前端当接部２９、後方下面当接部３１、及び上面中間当接部３２の三点により、剛体であるコイン２８を保持して、コイン２８が紙幣挿入口１７から装置内部へ進入することを阻止する。【００３１】
なお、図４(c)に示すように、搬送路上面部２４の下向き傾斜面２２と搬送路下面部２７の下向き傾斜面２５との間には、コイン２８の厚さよりも厚みのある但し柔軟性のある所定枚数の紙幣束３３が屈曲しながら通過できる間隔Ｌが設けられている。  【００３２】
また、搬送路上面部２４の水平面２３と搬送路下面部２７の水平面２６との間にも、上記同様の所定枚数の紙幣束３３が通過できる間隔Ｌが設けられている。ここで、上記前端当接部２９、後方下面当接部３１、及び上面中間当接部３２の三点間の位置関係について説明する。【００３３】
図５は、前端当接部２９、後方下面当接部３１、及び上面中間当接部３２の三点間の位置関係を示す図である。ここで、先ず、搬送路上面部２４の水平面２３と搬送路下面部２７の水平面２６との上下の間隔を、所定枚数の紙幣束３３の厚さと同じ２．４ｍｍ、コインの直径を２５ｍｍ、及びコインの厚さを１．８ｍｍとする。【００３４】
この設定において、前端当接部２９と後方下面当接部３１との水平方向の距離をｍ、前端当接部２９と後方下面当接部３１との垂直方向の距離をｎ、後方下面当接部３１と上面中間当接部３２との水平方向の距離をｐ、及び後方下面当接部３１と上面中間当接部３２との垂直方向の距離をｑとして、ｍ＝１０．４ｍｍ、ｎ＝１．３ｍｍ、ｐ＝３．９ｍｍ、及びｑ＝１．１ｍｍとなるように位置関係が構成されている。【００３５】
図６(a),(b),(c)は、コイン２８の紙幣挿入口１７への進入が阻止される具体的態様を示す図である。図６(a)は、紙幣挿入口１７の外側に（載置台１６に）紙幣束３３の後端部を残した状態で、装置内部への紙幣の繰り込みを開始する機構を持つ紙幣処理機の場合を示している。【００３６】
この場合、図６(a)に示すように、紙幣束３３の上にコイン２８が誤って載っていても、搬送路上面部２４の垂直面２１から下向き傾斜面２２を形成する屈曲部にコイン２８の先端が当接してコイン２８の紙幣挿入口１７への進入が阻止され、コイン２８のみが紙幣挿入口１７の外側に残された状態で、紙幣束３３の紙幣が一枚ずつ、矢印ｒで示すように、装置内部に搬入されていく。【００３７】
また、図６(b)は、紙幣束３３の前方で、紙幣束３３の中にコイン２８が挟まっている場合を示している。この場合、コイン２８の剛性によりコイン２８が邪魔になって、利用者は紙幣束３３を紙幣挿入口１７へ挿入することが出来ない。このため異常を感じた利用者がコイン２８が紙幣束３３の中に挟まっていることに気づくことが出来る。【００３８】
また、図６(c)は、紙幣束３３の後方で、紙幣束３３の中にコイン２８が挟まっている場合を示している。この場合、利用者は紙幣束３３をある程度まで紙幣挿入口１７へ挿入することが出来ても、それ以上はコイン２８の剛性によりコイン２８が邪魔になって、紙幣束３３は内部に挿入されない。【００３９】
したがって、装置内部のセンサは紙幣束３３の先端を検知できず、制御部は紙幣束３３が紙幣挿入口１７へ挿入されていないと判断し、紙幣束３３の装置内部への繰り込みを開始しない。そのため、異常を感じた利用者がコイン２８が紙幣束３３の中に挟まっていることに気づくことが出来る。【００４０】
また、紙幣挿入口１７の近傍にもセンサを備えた紙幣処理機であると、紙幣挿入口１７の近傍のセンサが紙幣束３３を検知しているにもかかわらず、所定の時間が経過しても装置内部側のセンサが紙幣束３３の先端を検知しないので、紙幣処理機から異常を外部に報知することができる。【００４１】
このように、本例のコイン誤挿入防止機構２０は、紙幣挿入口１７から装置内部方向の搬送路面に、搬送方向に沿って上下に屈曲する屈曲部を形成するので、コイン２８が紙幣束３３の上に載っている場合でも、紙幣束３３の中に挟まっている場合でも、コイン２８が紙幣挿入口１７より先の搬送路に取り込まれてしまうことがない。【００４２】
したがって、コイン２８の厚さよりも厚みのある紙幣束３３を一括挿入して処理できるとともに、コイン２８の誤挿入を防止することができる。また、装置内部にコイン２８を取り込まないので、ジャム等の不具合の発生を予防できる。【００４３】
同様に、装置内部にコイン２８を取り込まないので、装置側でコイン取出し処理を行う必要が無く、利用者とのトラブルも予防できる。また、紙幣挿入口１７の紙幣束３３からコイン２８を取り除くまでの間を除けば、装置を休止させる必要もなくなる。
【実施例２】
【００４４】
図７は、実施例２に係るコイン誤挿入防止機構の構成とその機能を示す図である。図７に示す本例のコイン誤挿入防止機構３４も、載置台１６に載置され紙幣挿入口１７に挿入される紙幣束３３（不図示）を一括して紙幣挿入口１７から装置内部に繰り入れる紙幣処理機のコイン誤挿入防止機構である。【００４５】
図７に示すように、本例のコイン誤挿入防止機構３４は、搬送路上面部３５と、搬送路下面部３６を備えている。搬送路上面部３５は、垂直面３７と、垂直面３７から紙幣挿入口１７において装置内部方向に下向きに傾斜する下向き傾斜面３８を備えている。【００４６】
更に、搬送路上面部３５は、下向き傾斜面３８に連続して装置内部方向に形成された入口水平面３９と、この入口水平面３９に連続して装置内部方向に形成された上向き傾斜面４０と、この上向き傾斜面４０に連続して装置内部方向に形成された内部水平面４１を備えている。【００４７】
他方の搬送路下面部３６は、載置台１６の水平面に連続して、搬送路上面部３５の上向き傾斜面４０の位置よりも装置内部方向に延在する入口水平面４２と、入口水平面４２に連続して装置内部方向に形成された上向き傾斜面４３と、上向き傾斜面４３に連続して装置内部方向に形成された内部水平面４４を備えている。【００４８】
搬送路上面部３５と搬送路下面部３６との間隔は、狭いところでも図４(c)に示した所定の厚みのある紙幣束３３を屈曲させながら通過させることが出来るだけの間隔で形成されている。【００４９】
しかし、コイン２８が矢印ｓで示すように紙幣挿入口１７に誤挿入されたとき、本例のコイン誤挿入防止機構３４において、搬送路上面部３５の入口水平面３９はコイン２８の前端が搬送路下面部３６の上向き傾斜面４３に摺接して持ち上がろうとするコイン２８の上面中間部に当接して、コイン２８の上面中間部を押さえ込み、コイン２８の持ち上りを抑える。【００５０】
これにより、コイン３８は、搬送路下面部３６の上向き傾斜面４３と搬送路上面部３５の入口水平面３９とで押さえ込まれ、紙幣挿入口１７から装置内部へ進入することを阻止される。本例のコイン誤挿入防止機構３４が奏する効果は実施例１の場合と同様である。
【実施例３】
【００５１】
図８は、実施例３に係るコイン誤挿入防止機構の構成とその機能を示す図である。図８は紙幣挿入口１７を正面から見た図である。図３ないし図５及び図７に示した載置台１６は図８の紙面奥行き方向手前側に存在している。【００５２】
図８に示す本例のコイン誤挿入防止機構４５も、載置台１６（図８では見えない）に載置され、紙幣挿入口１７に挿入される紙幣束３３（不図示）を一括して紙幣挿入口１７から装置内部に繰り入れる紙幣処理機のコイン誤挿入防止機構である。【００５３】
図８に示すように、本例のコイン誤挿入防止機構４５は、紙幣挿入口１７において紙幣束３３の矢印ｔで示す挿入方向に直交する挿入口横方向に形成された凸部４６と凹部４７が交互に連続してなる上搬送路面部４８を備えている。【００５４】
更に、コイン誤挿入防止機構４５は、紙幣挿入口１７において紙幣束３３の挿入方向に直交する挿入口横方向に形成された凸部４９と凹部５０が交互に連続してなる下搬送路面部５１を備えている。【００５５】
下搬送路面部５１の凸部４９と凹部５０は、それぞれ上搬送路面部４８の凹部４７と凸部４６に対向するように形成され、凸部４９は凸部４６と同形で逆向きであり、凹部５０は凹部４７と同形で逆向きに形成されている。【００５６】
また、上搬送路面部４８の凸部４６と凹部４７、及び下搬送路面部５１の凸部４９と凹部５０は、それぞれ紙幣挿入口１７に誤挿入されるコイン２８の直径Ｄよりも小さい幅ｄ１及び幅ｄ２で形成されている。【００５７】
これにより、剛体であるコイン２８は、先端を紙幣挿入口１７に誤挿入されても、上搬送路面部４８の凸部４６と凹部４７、及び下搬送路面部５１の凸部４９と凹部５０により行く手を阻まれて、紙幣挿入口１７よりも装置内部に進入することは出来ない。【００５８】
上記の下搬送路面部５１の凸部４９と凹部５０、及び上搬送路面部４８の凹部４７と凸部４６が対向する上下の距離は、紙幣挿入口１７に挿入される紙幣束３３の所定の厚み以上となるように形成されている。【００５９】
これにより、柔軟性のある紙幣束３３は、紙幣挿入口１７に挿入されると、横方向に屈曲しながら、装置内部に進入していくことができる。本例のコイン誤挿入防止機構４５が奏する効果は実施例１の場合と同様である。【００６０】
尚、これに限らず、例えば、凸部４６と凸部４９や凹部５０と凹部４７が同形である必要はなく、コインやトークン等が、内部へ入らない形状となっていればよい。また、コインは、コインに限定されるものではなく、トークン等形状が同様のものも含まれる。【００６１】
また、上述の実施の形態は、実施の形態の要旨を逸脱しない範囲内において種々の変更を加えることができる。さらに、上述の実施の形態は、多数の変形、変更が当業者にとって可能であり、説明した正確な構成および応用例に限定されるものではない。
【産業上の利用可能性】
【００６２】
本発明は、紙幣処理機の紙幣挿入口に対して顧客がコイン（又はトークン）を誤って挿入することを防止する紙幣処理機のコイン誤挿入防止機構に利用することができる。
【符号の説明】
【００６３】
１、１ａ、１ｂ  紙幣束処理装置
２  載置台
３  挿入口
４  紙幣束
５、８  繰り出しローラ
６、７、９  搬送ローラ対
１０  コイン
１１  受け皿
１２  上流側搬送路
１３  下流側搬送路
１５  紙幣処理機
１６  載置台
１７  紙幣挿入口
１８  上搬送面
１９  下搬送面
２０  コイン誤挿入防止機構
２１  垂直面
２２  下向き傾斜面
２３  水平面
２４  搬送路上面部
２５  下向き傾斜面
２６  水平面
２７  搬送路下面部
２８  コイン
２９  前端当接部
３１  後方下面当接部
３２  上面中間当接部
３３  紙幣束
３４  コイン誤挿入防止機構
３５  搬送路上面部
３６  搬送路下面部
３７  垂直面
３８  下向き傾斜面
３９  入口水平面
４０  上向き傾斜面
４１  内部水平面
４２  入口水平面
４３  上向き傾斜面
４４  内部水平面
４５  コイン誤挿入防止機構
４６  凸部
４７  凹部
４８  上搬送路面部
４９  凸部
５０  凹部
５１  下搬送路面部
【図１】
0005865515.tif 000002
【図２】
0005865515.tif 000003
【図３】
0005865515.tif 000004
【図４】
0005865515.tif 000005
【図５】
0005865515.tif 000006
【図６】
0005865515.tif 000007
【図７】
0005865515.tif 000008
【図８】
0005865515.tif 000009